(57)【要約】【課題】回路基板とコネクタとの固定部に応力が集中するのを抑制することができる電子装置を提供すること。【解決手段】筐体（ケース１０、カバー２０）と、筐体（ケース１０、カバー２０）内に配置される回路基板３０と、回路基板３０とメスコネクタ２００とを電気的に接続するための端子４２ａを含む表面実装型のコネクタ３００とを有する電子装置１００であって、コネクタ３００は、回路基板３０に半田付け固定されると共に、筐体固定部（コア側筐体固定部４３、フード側筐体固定部６３）と筐体側コネクタ固定部２４とで筐体（ケース１０、カバー２０）に固定され、回路基板３０は、コネクタ３００に加えて、回路基板３０におけるコネクタ３００との固定部である端子４２ｂとランドとの半田付け部と、筐体（ケース１０、カバー２０）に設けられる回路基板固定部１１，２１との間に、ゴム８０ａ，８０ｂを配して筐体（ケース１０、カバー２０）に固定される。【選択図】図１
2007329413.tif 000002
【特許請求の範囲】
【請求項１】
筐体と、
前記筐体内に配置される回路基板と、
前記回路基板と外部装置とを電気的に接続するための電気接続部を含む表面実装型のコネクタとを有する電子装置であって、
前記コネクタは、前記回路基板に固定されると共に、前記筐体との固定部である筐体固定部と前記筐体に設けられる筐体側コネクタ固定部とで当該筐体に固定され、
前記回路基板は、前記コネクタに加えて前記筐体にも固定されるものであり、当該コネクタとの固定部である基板側コネクタ固定部と、当該筐体に設けられる回路基板固定部との間に、当該基板側コネクタ固定部への応力を緩和する応力緩和機構を配して前記筐体に固定されることを特徴とする電子装置。
【請求項２】
前記応力緩和機構は、前記回路基板と前記回路基板固定部とに挟み込まれる弾性部材を含むことを特徴とする請求項１に記載の電子装置。
【請求項３】
前記応力緩和機構は、前記回路基板に形成されるスリットを含むことを特徴とする請求項１又は請求項２に記載の電子装置。
【請求項４】
前記スリットは、前記回路基板と前記筐体との固定部位付近に形成されることを特徴とする請求項３に記載の電子装置。
【請求項５】
前記コネクタは、電気的に接続するために前記外部装置のコネクタである外部コネクタによって押圧されるものであり、前記筐体固定部と前記筐体側コネクタ固定部とは、前記コネクタが前記外部コネクタにて押圧される時に、前記筐体固定部が前記筐体側コネクタ固定部に押し当てられる構造をなすことを特徴とする請求項１乃至請求項４のいずれかに記載の電子装置。
【請求項６】
前記筐体固定部は、前記押圧される方向に略垂直なコネクタ側壁部を備え、前記筐体側コネクタ固定部は、前記筐体の内表面から突出して設けられるものであり、前記コネクタ側壁部に対応し前記押圧される方向に略垂直な筐体側壁部を備えることを特徴とする請求項５に記載の電子装置。
【請求項７】
前記筐体固定部は、前記押圧される方向に略平行なコネクタ側底部を備え、前記筐体側コネクタ固定部は、前記コネクタ側底部に接触する前記押圧される方向に略平行な筐体側底部を備えることを特徴とする請求項５又は請求項６に記載の電子装置。
【請求項８】
前記筐体固定部における表面及び前記筐体側コネクタ固定部における表面のうち少なくとも一方は、摩擦係数を高くすることを特徴とする請求項５乃至請求項７のいずれかに記載の電子装置。
【請求項９】
前記コネクタと前記筐体との固定位置は、前記電気接続部に対応する位置を含むことを特徴とする請求項１乃至請求項８のいずれかに記載の電子装置。
【請求項１０】
前記コネクタと前記筐体との固定位置は、当該コネクタの高さ方向における中心付近であることを特徴とする請求項１乃至請求項９のいずれかに記載の電子装置。
【請求項１１】
前記コネクタは、前記電気接続部を含むコア部と、前記コア部に接続され前記外部装置とのインターフェイスをなすフード部とからなり、前記筐体固定部は、前記コア部に設けられるコア側筐体固定部と、前記フード部に設けられるフード側筐体固定部とからなり、前記コア部及び前記フード部は、前記コア側筐体固定部及び前記フード側筐体固定部にて前記筐体に固定されることを特徴とする請求項１乃至請求項１０のいずれかに記載の電子装置。
【請求項１２】
前記コア側筐体固定部は、前記コア部から離れる方向に移動する場合に前記フード側筐体固定部を押すように前記コア部へ取付けられ、前記フード側筐体固定部は、前記フード部から離れる方向に移動する場合に前記コア側筐体固定部を押すように前記フード部へ取付けられることを特徴とする請求項１１に記載の電子装置。
【請求項１３】
前記コネクタには、電気的に接続するために前記外部装置のコネクタである外部コネクタによって押圧されるものであり、前記筐体固定部は、前記コネクタが前記外部コネクタによって押圧されることによって前記コネクタに押し付けられるように当該コネクタに取付られることを特徴とする請求項１乃至請求項１２のいずれかに記載の電子装置。
【請求項１４】
前記筐体固定部はネジを貫通させる貫通穴を備え、前記筐体側コネクタ固定部は前記ネジに対応するネジ穴を備え、前記筐体と前記コネクタとは、前記筐体固定部と前記筐体側コネクタ固定部とをネジ止めされることを特徴とする請求項１乃至請求項１３のいずれかに記載の電子装置。
【請求項１５】
前記貫通穴は、前記ネジの径に比べて十分大きな径であることを特徴とする請求項１４に記載の電子装置。
【請求項１６】
前記貫通穴及び前記ネジ穴は、前記コネクタの外壁から所定間隔離間した位置に設けられることを特徴とする請求項１４及び請求項１５に記載の電子装置。
【請求項１７】
前記筐体は、上筐体と下筐体とからなり、前記コネクタは、当該上筐体と当該下筐体とに挟まれることを特徴とする請求項１乃至請求項１６のいずれかに記載の電子装置。
【請求項１８】
前記コネクタは、前記上筐体と前記下筐体とに挟まれた状態で、当該上筐体と当該下筐体とにネジ止め固定されることを特徴とする請求項１７に記載の電子装置。
【請求項１９】
前記筐体は、防水用のシール部材で密封されるものであり、前記筐体固定部と前記筐体側コネクタ固定部とは、前記シール部材で囲まれた領域に配置されることを特徴とする請求項１乃至請求項１８のいずれかに記載の電子装置。
【発明の詳細な説明】
【技術分野】
【０００１】
本発明は、筐体内に回路基板が配置される電子装置に関するものである。
【背景技術】
【０００２】
従来、筐体内に回路基板が配置される電子装置として特許文献１に示すものがあった。特許文献１に示す電子装置は、筐体、回路基板、コネクタなどを備える。筐体内に回路基板が配置され、そして、コネクタは、筐体に直接固定されており、回路基板は、一端側にコネクタが固定され、他端側が筐体にネジ止め固定されているものである。
【特許文献１】特許２７９４５５８号公報
【発明の開示】
【発明が解決しようとする課題】
【０００３】
ところが、特許文献１に示す電子装置の場合、回路基板とコネクタとがネジ止め固定されているため、回路基板とコネクタとの組み付け公差、回路基板と筐体との熱膨張係数差、回路基板の反りなどによって、回路基板とコネクタとの固定部に応力が集中し、その固定部にクラックなどが生じる可能性がある。また、特許文献１においては、このような回路基板とコネクタとの固定部への応力集中に関しては考慮されていない。
【０００４】
本発明は、上記問題点に鑑みなされたものであり、回路基板とコネクタとの固定部に応力が集中するのを抑制することができる電子装置を提供することを目的とする。
【課題を解決するための手段】
【０００５】
上記目的を達成するために請求項１に記載の電子装置は、筐体と、筐体内に配置される回路基板と、回路基板と外部装置とを電気的に接続するための電気接続部を含む表面実装型のコネクタとを有する電子装置であって、コネクタは、回路基板に固定されると共に筐体との固定部である筐体固定部と筐体に設けられる筐体側コネクタ固定部とで筐体に固定され、回路基板は、コネクタに加えて筐体にも固定されるものであり、コネクタとの固定部である基板側コネクタ固定部と、筐体に設けられる回路基板固定部との間に、基板側コネクタ固定部への応力を緩和する応力緩和機構を配して筐体に固定されることを特徴とするものである。
【０００６】
このように、回路基板におけるコネクタとの固定部である基板側コネクタ固定部と、筐体に設けられる回路基板固定部との間に、基板側コネクタ固定部への応力を緩和する応力緩和機構を配して、回路基板と筐体とを固定することによって、回路基板とコネクタとの固定部に応力が集中するのを抑制することができる。
【０００７】
特に、表面実装型のコネクタの場合、回路基板との固定部に応力が集中してしまうと、回路基板との接合信頼性が低下しやすい。したがって、表面実装型のコネクタを回路基板に固定する場合に、請求項１に示すように、応力緩和機構を配することによって、表面実装型のコネクタの回路基板に対する接合信頼性の抑制を低下することができる。
【０００８】
また、応力緩和機構としては、請求項２に示すように、回路基板と回路基板固定部とに挟み込まれる弾性部材を含むと好適である。すなわち、回路基板と回路基板固定部とに挟み込まれる弾性部材を含むことによって、回路基板は、上下、左右などに移動可能となり、回路基板の変形（伸びや反りなど）を吸収することが可能となる。
【０００９】
また、応力緩和機構は、請求項３に示すように、回路基板に形成されるスリットとすることもできる。このように、応力緩和機構として回路基板に形成されるスリットを用いることによって、特別に部材を用意する必要がなくなる。さらに、特別に応力緩和機構としての部材を用意した場合に比べて、その部材の経年変化などを考慮する必要が低減するため好適である。
【００１０】
通常、回路基板に実装される電子部品や配線は、筐体との固定部位付近など回路基板の周囲には実装されないものである。そこで、請求項４に示すように、スリットを回路基板と筐体との固定部位付近に形成することによって、回路基板に実装される電子部品や配線などに影響しないため好適である。また、万が一、スリットによって回路基板が破損したとしても、スリットを回路基板と筐体との固定部位付近に形成することによって、回路基板への悪影響を最小限に抑えることができる。
【００１１】
また、請求項５に記載の電子装置では、コネクタは、電気的に接続するために外部装置のコネクタである外部コネクタによって押圧されるものであり、筐体固定部と筐体側コネクタ固定部とは、コネクタが外部コネクタにて押圧される時に、筐体固定部が筐体側コネクタ固定部に押し当てられる構造をなすことを特徴とするものである。
【００１２】
このように、筐体固定部と筐体側コネクタ固定部とは、コネクタが外部コネクタにて押圧される時に、筐体固定部が筐体側コネクタ固定部に押し当てられる構造とすることによって、コネクタが外部コネクタによって押圧される押圧力を筐体に逃がしやすくでき、回路基板とコネクタとの固定部への応力を低減することができる。
【００１３】
また、請求項６に示すように、筐体固定部は押圧される方向に略垂直なコネクタ側壁部を備え、筐体側コネクタ固定部は筐体の内表面から突出して設けコネクタ側壁部に対応し押圧される方向に略垂直な筐体側壁部を備えることによって、コネクタが外部コネクタにて押圧される時に、筐体固定部が筐体側コネクタ固定部に押し当てられる構造とすることができる。
【００１４】
また、請求項７に記載の電子装置では、筐体固定部は、押圧される方向に略平行なコネクタ側底部を備え、筐体側コネクタ固定部は、コネクタ側底部に接触する押圧される方向に略平行な筐体側底部を備えることを特徴とするものである。
【００１５】
このように、コネクタ側底部と筐体側底部とを備えることによって、コネクタから外部コネクタを取り外す際に、コネクタ側底部と筐体側底部との摩擦力によってコネクタと筐体とがずれにくくすることができる。
【００１６】
また、請求項８に示すように、筐体固定部における表面及び筐体側コネクタ固定部における表面のうち少なくとも一方は、摩擦係数を高くすることによって、コネクタから外部コネクタを取り外す際に、コネクタ側底部と筐体側底部との摩擦力が向上し、より一層コネクタと筐体とがずれにくくすることができる。
【００１７】
また、コネクタに外部コネクタが接続される場合、コネクタの電気接続部に応力がかかりやすい。したがって、請求項９に示すように、コネクタと筐体との固定位置は、電気接続部に対応する位置を含むことによって、コネクタが外部コネクタによって押圧される押圧力を筐体に逃がしやすくでき、回路基板とコネクタとの固定部への応力を低減することができる。
【００１８】
また、請求項１０に示すように、コネクタと筐体との固定位置は、コネクタの高さ方向における中心付近とすることによって、コネクタが外部コネクタによって押圧される際のモーメント応力を筐体に逃がしやすくすることができる。
【００１９】
また、請求項１１に記載の電子装置では、コネクタは、電気接続部を含むコア部と、コア部に接続され外部装置とのインターフェイスをなすフード部とからなり、筐体固定部は、コア部に設けられるコア側筐体固定部と、フード部に設けられるフード側筐体固定部とからなり、コア部及びフード部は、コア側筐体固定部及びフード側筐体固定部にて筐体に固定されることを特徴とするものである。
【００２０】
このように、コネクタが、電気接続部を含むコア部と、コア部に接続され外部装置とのインターフェイスをなすフード部とからなる場合がある。このような場合、コア部及びフード部のそれぞれにコア側筐体固定部及びフード側筐体固定部を設け、そのコア側筐体固定部及びフード側筐体固定部にてコネクタを筐体に固定することによって、コネクタが外部コネクタによって押圧される押圧力は、コア部とフード部の両方から筐体に逃げることとなり好適である。
【００２１】
すなわち、コネクタがコア部とフード部とからなる場合、コア部及びフード部のいずれか一方に筐体固定部を設けることも考えられる。しかしながら、コア部及びフード部のいずれか一方に筐体固定部を設けると、コネクタが外部コネクタによって押圧される押圧力は、コア部からフード部を介して筐体へ逃げるか、あるいは、フード部からコア部を介して筐体へ逃げることとなる。したがって、コア部とフード部との固定力も強化する必要があるからである。
【００２２】
また、請求項１２に示すように、コア側筐体固定部は、コア部から離れる方向に移動する場合にフード側筐体固定部を押すようにコア部へ取付けられ、フード側筐体固定部は、フード部から離れる方向に移動する場合にコア側筐体固定部を押すようにフード部へ取付けられるようにすることによって、外部からの振動などによってコア側筐体固定部及びフード側筐体固定部がズレようとした場合であっても、コア部とフード部とを強固に固定することができる。
【００２３】
また、請求項１３に示すように、筐体固定部は、コネクタが外部コネクタによって押圧されることによってコネクタに押し付けられるようにコネクタに取付られることによって、コネクタに外部コネクタを接続する際にコネクタと筐体固定部とがしっかりと固定され、コネクタと筐体固定部との緩みを抑制することができる。
【００２４】
また、請求項１４に示すように、筐体固定部はネジを貫通させる貫通穴を備え、筐体側コネクタ固定部はネジに対応するネジ穴を備え、筐体とコネクタとは、筐体固定部と筐体側コネクタ固定部とをネジ止めすることによって、筐体とコネクタとを強固に固定することができる。
【００２５】
また、回路基板や筐体の位置精度が悪かったり、例えばリフローによってコネクタと回路基板とを固定する場合、そのリフロー熱などによってコネクタが変形したりした場合、コネクタに設けられるネジを貫通させる貫通穴と筐体に設けられるネジ穴とに位置ズレが生じる可能性がある。そこで、請求項１５に示すように、貫通穴は、ネジの径に比べて十分大きな径とすることによって、このような貫通穴とネジ穴との位置ズレを吸収でき、コネクタと筐体とをしっかり固定することができる。
【００２６】
また、請求項１６に示すように、貫通穴及びネジ穴は、コネクタの外壁から所定間隔離間した位置に設けることによって、ネジ締め作業を行いやすくすることができる。
【００２７】
また、請求項１７に記載の電子装置では、筐体は、上筐体と下筐体とからなり、コネクタは、上筐体と下筐体とに挟まれるようにしてもよい。また、コネクタが上筐体と下筐体とに挟まれて固定される場合、請求項１８に示すように、コネクタは、上筐体と下筐体とにネジ止め固定されることによって、筐体により一層強固に固定することができる。
【００２８】
また、筐体が防水用のシール部材で密封される場合、請求項１９に示すように、筐体固定部と筐体側コネクタ固定部とは、シール部材で囲まれた領域に配置することによって、防水性が悪化することを抑制することができる。
【発明を実施するための最良の形態】
【００２９】
以下、本発明の実施の形態を図に基づいて説明する。
【００３０】
図１は、本発明の実施の形態における電子装置の概略構成を示す部分的断面図である。図２は、本発明の実施の形態における電子装置の概略構成を示す平面図である。図３は、本発明の実施の形態における電子装置の概略構成を示す分解図であり、（ａ）はケース（上筐体）の断面図であり、（ｂ）はコネクタのフード部の側面図であり、（ｃ）はコネクタのコア部を回路基板に実装した場合の側面図であり、（ｄ）はカバー（下筐体）の断面図である。図４は、本発明の実施の形態における電子装置の概略構成を示す分解図であり、（ａ）はコネクタのフード部の平面図であり、（ｂ）はコネクタのコア部を回路基板に実装した場合の平面図であり、（ｃ）はカバー（下筐体）の平面図である。図５は、本発明の実施の形態におけるコネクタのコア部と回路基板との概略構成を示す図面であり、（ａ）はコネクタのコア部を回路基板に実装した場合の側面図であり、（ｂ）はコネクタのコア部を回路基板に実装した場合の正面図であり、（ｃ）はコア部の特徴部分の拡大図であり、（ｄ）はコア側筐体固定部の斜視図である。図６は、本発明の実施の形態におけるコネクタのフード部の概略構成を示す図面であり、（ａ）はフード部の側面図であり、（ｂ）はフード部の平面図であり、（ｃ）はフード部の特徴部分の拡大図であり、（ｄ）はフード側筐体固定部の斜視図である。図７は、本発明の実施の形態における電子装置のネジ止め時に生じる力の作用を説明する図面である。
【００３１】
図１に示すように、電子装置１００は、表面実装型のオス型コネクタ３００（以下、単にコネクタ３００とも称する）が実装された回路基板３０と、回路基板３０を収容する筐体（ケース１０、カバー２０）と、を少なくとも含んでいる。さらに、本実施形態に係る電子装置１００は、筐体の内部空間を防水空間とするシール部材７０を含んでいる。このように、本実施形態に係る電子装置１００は防水構造を有しており、車両の車室外（例えばエンジンルーム内）に配置される電子装置（例えば車両のエンジンＥＣＵ（Electric Control Unit））として好適である。
【００３２】
筐体は、例えばアルミニウム、鉄等の金属材料や合成樹脂材料からなり、一方が開放された箱状のケース１０（上筐体）と、ケースの開放面を閉塞する略矩形板状の底の浅いカバー２０とにより構成される。そして、ケース１０とカバー２０とを組み付ける（例えば、ネジ締結や、ネジを使わない嵌め合いによる嵌合など）ことで、回路基板３０を収容する内部空間を有した筐体を構成する。
【００３３】
ケース１０及びカバー２０は、図１、図３（ａ）に示すように、コネクタ用開口部を構成すると共に、シール部材７０に接触する筐体の開口縁部であるシール部１２，２２を備える。これにより、回路基板３０を筐体内に収容した状態で、コネクタ３００の一部がメスコネクタ２００側に露出され、コネクタ３００を介して回路基板３０とメスコネクタ２００との電気的な接続が可能となっている。また、ケース１０及びカバー２０は、図１、図３（ａ）に示すように、回路基板３０を固定する部位であると共に、コネクタ３００と回路基板３０との固定部（コネクタ固定部）への応力を緩和するゴム８０ａ，８０ｂ（応力緩和機構）を配置する部位である回路基板固定部１１，２１を備える。この回路基板固定部１１，２１は、図１、図３（ａ）に示すように、ケース１０及びカバー２０の内部表面から回路基板３０に平行な方向に突出して設けられる。ただし、回路基板固定部１１，２１は、ゴム８０ａ、８０ｂを介して回路基板３０を固定できる形状であれば特に限定されるものではない。
【００３４】
また、応力緩和機構（本実施の形態では、ゴム８０ａ，８０ｂ）は、端子４２ｂとランドとの半田付け部への応力を緩和できるものであればよいため、ゴム８０ａ、８０ｂ以外のバネなどの弾性部材であってもよい。このように、応力緩和機構として弾性部材を用いることによって、回路基板３０は、上下、左右などに移動可能となり、回路基板３０の変形（伸びや反りなど）を吸収することが可能となる。
【００３５】
さらに、カバー２０は、図３（ｄ）などに示すように、コネクタ３００との固定部であり、後ほど説明する筐体固定部（コア側筐体固定部４３、フード側筐体固定部６３）が当接される筐体側コネクタ固定部２４が設けられる。この筐体側コネクタ固定部２４は、筐体固定部（コア側筐体固定部４３、フード側筐体固定部６３）に対応する形状をなすものであり、コネクタ３００と筐体（ケース１０及びカバー２０）とを固定するためのネジ９０ａ，９０ｂが螺入されるネジ穴２４ａ、メスコネクタ２００の挿入方向（コネクタ３００がメスコネクタ２００から押圧される方向）に略垂直な筐体側壁部２４１、メスコネクタ２００の挿入方向（コネクタ３００がメスコネクタ２００から押圧される方向）に略平行な筐体側底部２４２からなる。なお、筐体側コネクタ固定部２４は、カバー２０に一体的に設けてもよいし、別部材（中間部材）を用いて高さを稼いでもよい。このように、コネクタ３００は筐体を構成するカバー２０に直接固定される構成となっている。詳細は後述する。
【００３６】
なお、回路基板３０に実装される電子部品５０のなかには、例えばパワートランジスタといった動作によって過度に発熱する発熱素子が含まれている。このため、カバー２０には、発熱素子である電子部品５０に接触して、電子部品５０が発する熱を外部に放熱するための放熱部２３を備える。このように、カバー２０に放熱部２３を設けることによって、電子装置１００の温度上昇を抑制することができる。
【００３７】
また、筐体はケース１０とカバー２０の２つの部材から構成されるものに限定されない。１つの部材から構成されても良いし、３つ以上の部材から構成されても良い。
【００３８】
また、本実施の形態においては、図２、図４（ｃ）に示すように、コネクタ３００のシール取付部６４とコネクタ用開口部を構成する筐体の開口縁部（シール部１２，２２）との間を含む筐体の周縁部領域にシール部材７０が配置されている。このシール部材７０は、反発力と粘着力を兼ね備えた材料であり、コネクタ３００にメスコネクタ２００が嵌合された状態で、筐体内の空間を防水空間とすることのできる材料（シール効果を発揮できるもの）であれば採用することができる。本実施形態においては、硬化前の状態で１５０〜２００Ｐａ・ｓである湿気硬化型のシリコン接着剤を採用している。それ以外にも、例えば本出願人による特開２００５−９３６０２号公報に記載の材料を採用することができる。
【００３９】
回路基板３０は、図示されないランド、配線パターンや、配線パターン間を接続するビアホール等を形成してなるプリント基板に、マイコン、抵抗、コンデンサ等の電子部品５０を実装してなる回路基板である。また、回路基板３０には、コネクタ３００が実装される。すなわち、回路基板３０に形成されるランドにコネクタ３００の端子４２ｂが半田付けされることによって回路基板３０にコネクタ３００が固定（実装）される。この回路基板３０におけるコネクタ３００の端子４２ｂが半田付けされる部位が本発明の基板側コネクタ固定部に相当するものである。なお、プリント基板の構成材料としては、特に限定されるものではない。例えば、熱可塑性樹脂、熱硬化性樹脂、セラミック、ガラス（例えばガラス布）と樹脂との複合体等の公知材料を採用することができる。本実施形態においては、ＦＲ−５相当のガラス・エポキシ樹脂に、配線パターンを多層に配置してなる多層基板を採用している。また、図面においては、回路基板３０に実装される電子部品は、符号５０で示すもの以外は省略している。
【００４０】
コネクタ３００は、図３（ｂ）（ｃ）などに示すように、互いに独立して構成されるコア部４０とフード部６０とからなる。コア部４０は、導電性材料（例えば黄銅を金属メッキ）からなる複数の端子４２ａ，４２ｂの一部分がそれぞれ埋設された絶縁材料（例えば合成樹脂）からなるコアハウジング４１、筐体との固定部であるコア側筐体固定部４３などを備える。コアハウジング４１に固定された端子４２ａ，４２ｂは、コアハウジング４１から露出し回路基板３０との接続に供せられる側の端子４２ｂと、コアハウジング４１から露出しメスコネクタ２００との接続に供せられる側の端子４２ａとにより構成される。コア部４０は、コアハウジング４１から露出する複数の端子のうちの端子４２ｂが、回路基板３０の表面に設けられた対応するランドと半田を介して接合された状態で回路基板３０に固定される。なお、端子４２ｂは、複数設けられるものであり、図２に示すように、コネクタ３００の長手方向に沿って所定の間隔で配置される。また、端子４２ａに関しても同様に複数設けられるものであり、図４（ｂ）に示すように、コネクタ３００の長手方向に沿って所定の間隔で配置される。
【００４１】
また、コア部４０は、図５（ａ）〜（ｃ）に示すように、コネクタ３００の長手方向の端部にコア側筐体固定部４３を取付けるためのコア側フック４１ａを備える。そして、コア側筐体固定部４３は、図５（ａ）（ｂ）（ｄ）に示すように、筐体（カバー２０）との固定部であり、上述の筐体側コネクタ固定部２４と当接されるものである。このコア側筐体固定部４３は、黄銅など銅系の材質の金属板を所定の形状に加工（打ち抜き加工、屈曲加工など）してなるものである。
【００４２】
また、コア側筐体固定部４３は、筐体側コネクタ固定部２４に対応する形状をなすものであり、コネクタ３００と筐体（ケース１０及びカバー２０）とを固定するためのネジ９０ａ，９０ｂが挿入される貫通穴４３ａ、メスコネクタ２００の挿入方向（コネクタ３００がメスコネクタ２００から押圧される方向）に略垂直なコア側壁部４３ｂ、メスコネクタ２００の挿入方向（コネクタ３００がメスコネクタ２００から押圧される方向）に略平行なコア側底部４３ｄ、そして、コア側筐体固定部４３をコア部４０（コア側フック４１ａ）に取付ける（嵌合する）ための穴が設けたれたコア側取付部４３ｃからなる。
【００４３】
また、コア側取付部４３ｃは、コア部４０の側壁に略平行に形成される。そして、コア側底部４３ｄがコア側取付部４３ｃから略垂直方向に屈曲され、コア側底部４３ｄから傾斜した傾斜部に貫通穴４３ａが形成され、この傾斜部にコア側底部４３ｄに対して略垂直方向にコア側壁部４３ｂが形成される。
【００４４】
なお、コア側筐体固定部４３は、コア側底部４３ｄを回路基板３０に半田付けするようにしてもよい。すなわち、コア側筐体固定部４３を補強タブとして用いてもよい。このように、コア側筐体固定部４３を補強タブとして用いて、コア側底部４３ｄを回路基板３０に半田付けすることによって、コネクタ３００と回路基板３０との固定をより強固にすることができる。本実施の形態は、表面実装型のコネクタ３００を用いているため、コネクタ３００と回路基板３０との固定をより強固にすることは特に効果的である。このように本実施形態においては金属材料からなるコア側筐体固定部４３を介してコネクタ３００が筐体を構成するカバー２０に直接固定され、またその固定も比較的強固なものになる。
【００４５】
フード部６０は、図１、図６などに示すように、コア部４０と固定されると共に、メスコネクタ（外部コネクタ）２００とのインターフェイスをなすものであり、絶縁材料（例えば合成樹脂）からなるフードハウジング６１、メスコネクタ２００と嵌合するための突部６２、後ほど説明するフード側筐体固定部６３、防水用のシール部材７０が取付けられるシール取付部６４などを備える。なお、フードハウジング６１は、メスコネクタ２００との固定に供せられる部位が筒状に設けられる。そして、その筒状の部位の外部には、メスコネクタ２００と嵌合するための突部６２が複数箇所（本実施の形態においては４箇所）に互いに離間して設けられる。
【００４６】
なお、本実施の形態におけるメスコネクタ２００は、図１に示すように、絶縁材料（例えば合成樹脂）からなるコネクタハウジング２０１、コネクタハウジング２０１に一部が埋設される導電性材料（例えば黄銅を金属メッキ）からなり端子４２ａに対応する凹部を有する複数の端子２０４などを備える。コネクタハウジング２０１は、コネクタ３００と嵌合するための挿入部２０２、コネクタ３００の突部６２が嵌合される嵌合部２０３などが形成される。そして、メスコネクタ２００は、図１におけるコネクタ３００側（紙面上右方向）に移動させて挿入部２０２をコネクタ３００のフード部６０に挿入していくと、すなわち、挿入部２０２をフード部６０に挿入してメスコネクタ２００にてコネクタ３００を押圧すると、嵌合部２０３にフード部６０の突部６２が嵌合されてコネクタ３００と接合される。
【００４７】
また、フードハウジング６１の筒状の部位の内部には、図１の点線で示すように、回路基板３０の少なくとも一部、コアハウジング４１から露出しメスコネクタ２００との接続に供せられる側の端子４２ａの少なくとも一部、コアハウジング４１から露出し回路基板３０との接続に供せられる側の４２ｂの少なくとも一部が配置される。フードハウジング６１は、フード部６０側に配置される回路基板３０、端子４２ａ，４２ｂを保護する機能も有するため、回路基板３０、端子４２ａ，４２ｂがフード部６０からメスコネクタ２００方向に突出しないように形成される。
【００４８】
また、フード部６０は、図６（ａ）〜（ｃ）に示すように、コネクタ３００の長手方向の端部にフード側筐体固定部６３を取付けるためのフード側フック６１ａを備える。そして、フード側筐体固定部６３は、図６（ａ）（ｂ）（ｄ）に示すように、筐体との固定部であり、上述のコア側筐体固定部４３と当接されるものである。すなわち、筐体側コネクタ固定部２４上に、コア側筐体固定部４３、フード側筐体固定部６３の順番で配置される。このフード側筐体固定部６３は、黄銅など銅系の材質の金属板を所定の形状に加工（打ち抜き加工、屈曲加工など）してなるものである。また、フード側筐体固定部６３は、筐体側コネクタ固定部２４及びコア側筐体固定部４３に対応する形状をなすものであり、コネクタ３００と筐体（ケース１０及びカバー２０）とを固定するためのネジ９０ａ，９０ｂが挿入される貫通穴６３ａ、メスコネクタ２００の挿入方向（コネクタ３００がメスコネクタ２００から押圧される方向）に略垂直なフード側壁部６３ｂ、メスコネクタ２００の挿入方向（コネクタ３００がメスコネクタ２００から押圧される方向）に略平行なフード側底部６３ｄ、そして、フード側筐体固定部６３をフード部６０（フード側フック６１ａ）に取付ける（嵌合する）ための穴が設けたれたフード側取付部６３ｃからなる。
【００４９】
また、フード側取付部６３ｃは、フード部６０の側壁に略平行に形成される。そして、フード側底部６３ｄがフード側取付部６３ｃから略垂直方向に屈曲され、フード側底部６３ｄから傾斜した傾斜部に貫通穴６３ａが形成され、この傾斜部にフード側底部６３ｄに対して略垂直方向にフード側壁部６３ｂが形成される。
【００５０】
すなわち、コネクタ３００とカバー２０とは、コア側筐体固定部４３、フード側筐体固定部６３、筐体側コネクタ固定部２４を設けることによって、コネクタ３００がメスコネクタ２００にて押圧される時に、筐体固定部（コア側筐体固定部４３、フード側筐体固定部６３）が筐体側コネクタ固定部２４に押し当てられる構造をなしている。特に、コネクタ３００がメスコネクタ２００から押圧される方向に略垂直に設けられる筐体側壁部２４１に対応するコア側壁部４３ｂ、フード側壁部６３ｂを設けることによって、コネクタ３００がメスコネクタ２００にて押圧される時に、筐体固定部（コア側筐体固定部４３、フード側筐体固定部６３）が筐体側コネクタ固定部２４に押し当てられる構造をなしている。
【００５１】
このように、筐体固定部（コア側筐体固定部４３、フード側筐体固定部６３）と筐体側コネクタ固定部２４とは、コネクタ３００がメスコネクタ２００にて押圧される時に、筐体固定部（コア側筐体固定部４３、フード側筐体固定部６３）が筐体側コネクタ固定部２４に押し当てられる構造とすることによって、コネクタ３００がメスコネクタ２００によって押圧される押圧力を筐体（ケース１０、カバー２０）に逃がしやすくでき、回路基板３０とコネクタ３００との固定部（端子４２ｂとランドとの半田付け部）への応力を低減することができる。
【００５２】
なお、コネクタ側底部（コア側底部４３ｄ、フード側底部６３ｄ）と筐体側底部２４２とを備えることによって、コネクタ３００からメスコネクタ２００を取り外す際に、コネクタ側底部（コア側底部４３ｄ、フード側底部６３ｄ）と筐体側底部２４２との摩擦力によってコネクタ３００と筐体（ケース１０、カバー２０）とがずれにくくすることができる。また、コア側底部４３ｄ、フード側底部６３ｄ間のずれを抑制することもできる。
【００５３】
また、貫通穴４３ａと貫通穴６３ａとは、コア側筐体固定部４３とフード側筐体固定部６３とが適切に当接した状態で、すなわちコア側壁部４３ｂとフード側壁部６３ｂ、貫通穴４３ａ、貫通穴４３ａとが形成される傾斜部同士、コア側底部４３ｄとフード側底部６３ｄが当接した状態で一致するように設けられている。また、ネジ穴２４ａと貫通穴４３ａと貫通穴６３ａとは、フード側筐体固定部６３が適切当接したコア側筐体固定部４３が筐体側コネクタ固定部２４に適切に当接した状態で、すなわち、コア側壁部４３ｂと筐体側壁部２４１、貫通穴４３ａが形成される傾斜部とネジ穴２４ａが形成される傾斜部、コア側底部４３ｄと筐体側底部２４２とが当接した状態で一致するように設けられている。
【００５４】
しかしながら、回路基板３０や筐体（ケース１０、カバー２０）の位置精度（組み付け精度、形成精度など）が悪かったり、例えばリフローによってコネクタ３００（端子４２ｂ）と回路基板３０（ランド）とを固定する場合、そのリフロー熱などによってコネクタ３００が変形したりした場合、コネクタ３００に設けられるネジを貫通させる貫通穴４３ａ，６３ａと筐体（カバー２０）に設けられるネジ穴２４ａとに位置ズレが生じる可能性がある。そこで、貫通穴４３ａ，６３ａは、ネジの径に比べて十分大きな径とする、すなわちバカ穴とすることによって、このような貫通穴４３ａ，６３ａとネジ穴２４ａとの位置ズレを吸収でき、コネクタ３００と筐体（カバー２０）とをしっかり固定することができる。
【００５５】
また、図５（ｃ）、図６（ｃ）に示すように、コア側フック４１ａとフード側フック６１ａとは、互いに逆方向に屈曲している。従って、コア側筐体固定部４３は、コア部４０に対して上から下方向に向かって取付けられる。フード側筐体固定部６３は、フード部６０に対して下から上方向に向かって取付けられる。すなわち、コア側筐体固定部４３は、コア部４０から離れる方向に移動する場合にフード側筐体固定部６３を押すようにコア部４０へ取付けられ、フード側筐体固定部６３は、フード部６０から離れる方向に移動する場合にコア側筐体固定部４３を押すようにフード部６０へ取付けられる。
【００５６】
例えば、車両の振動などによって、コア側筐体固定部４３がコア側フック４１ａから抜けようとすると、すなわち、コア側筐体固定部４３が上方向にずれようとすると、コア側筐体固定部４３がフード側筐体固定部６３を上方向に押すことになる。フード側筐体固定部６３は、上方向に押されると、フード側フック６１ａにしっかりと固定されることとなる。逆に、フード側筐体固定部６３がフード側フック６１ａから抜けようとすると、すなわち、フード側筐体固定部６３が下方向にずれようとすると、フード側筐体固定部６３がコア側筐体固定部４３を下方向に押すことになる。コア側筐体固定部４３は、下方向に押されると、コア側フック４１ａにしっかりと固定されることとなる。
【００５７】
このように、筐体側コネクタ固定部２４に当接する側の筐体固定部（本実施の形態では、コア側筐体固定部４３）は、コネクタ３００（コア部４０もしくはフード部６０）に対して上から下方向に取り付け、筐体側コネクタ固定部２４に当接しない側の筐体固定部（本実施の形態では、フード側筐体固定部６３）は、コネクタ３００（フード部６０もしくはコア部４０）に対して下から上方向に取り付けることによって、コネクタ３００と筐体との固定力を上下方向の振動などに対して強くすることができる。
【００５８】
また、図２に示すように、筐体固定部（コア側筐体固定部４３がフード側筐体固定部６３）と筐体側コネクタ固定部２４とは、シール部材７０で囲まれた領域に配置することによって、防水性が悪化することを抑制することができる。
【００５９】
ここで、電子装置１００を構成する筐体（ケース１０、カバー２０）、回路基板３０、コネクタ３００の組み付けに関して説明する。まず、図３（ｃ）、図４（ｂ）に示すように、回路基板３０とコネクタ３００のコア部４０とを固定する。回路基板３０とコア部４０との固定は、上述のように、コアハウジング４１から露出する複数の端子のうちの端子４２ｂと、回路基板３０の表面に設けられた対応するランドとを半田付けすることによって固定される。
【００６０】
次に、コア部４０が実装された回路基板３０をコネクタ３００のフード部６０に挿入して、コア部４０とフード部６０とを固定する。この時、コア部４０のコア側筐体固定部４３とフード部６０のフード側筐体固定部６３とが当接するようにコア部４０が実装された回路基板３０をコネクタ３００のフード部６０に挿入する。これによって、回路基板３０にコネクタ３００が固定される。
【００６１】
次に、コネクタ３００が固定された回路基板３０を図４（ｃ）に示すようにシール部材７０が設けられた（塗布された）カバー２０に搭載する。この時、カバー２０のシール部２２とフード部６０のシール取付部６４、コア部４０のコア側筐体固定部４３とカバー２０の筐体側コネクタ固定部２４とを適切に位置合わせして、コネクタ３００が固定された回路基板３０を回路基板固定部２１にゴム８０ｂが配置されたカバー２０に搭載する。
【００６２】
この状態のカバー２０、回路基板３０、コネクタ３００において、コネクタ３００とカバー２０とを固定する。コネクタ３００をカバー２０に固定する場合、コア側筐体固定部４３の貫通穴４３ａとフード側筐体固定部６３の貫通穴６３ａとにネジ９０ａ，９０ｂを挿入した状態で、ネジ９０ａ，９０ｂをカバー２０の筐体側コネクタ固定部２４のネジ穴２４ａに螺入してネジ止め固定する。すなわち、コネクタ３００とカバー２０とは、コア側筐体固定部４３、フード側筐体固定部６３と筐体側コネクタ固定部２４とで固定される。
【００６３】
なお、上述にようにコネクタ３００の両端部でネジ止めする場合、図７に示すように、ネジ９０ａをネジ締めするとコネクタ３００にはＭ１方向にモーメント力が加わり、ネジ９０ｂをネジ締めするとコネクタ３００には、Ｍ２方向にモーメント力が加わる。ネジ９０ａをネジ締めする場合にコネクタ３００に加わるＭ１方向のモーメント力では、コネクタ３００は、筐体側コネクタ固定部２４に押し付けられる方向に力が加えられる。一方、ネジ９０ｂをネジ締めする場合にコネクタ３００に加わるＭ２方向のモーメント力では、コネクタ３００は、筐体側コネクタ固定部２４にから遠ざかる方向に力が加えられる。したがって、ネジ９０ａとネジ９０ｂとは、同時にネジ締めするのが好ましい。しかしながら、ネジ９０ａとネジ９０ｂとを同時にネジ締めできない場合は、まずネジ９０ａの方から先にネジ締めし、その後、ネジ９０ｂをネジ締めすると好ましい。このようにすることによって、コネクタ３００が筐体からずれることなく、しっかりとコネクタ３００と筐体（カバー２０）とを固定することができる。つまり、ネジ締めによってコネクタに生じるモーメント力がカバー２０方向に向く側のネジから先にネジ締めすると好ましい。
【００６４】
このように、コネクタ３００とカバー２０とをネジ止め固定すると、カバー２０、回路基板３０、コネクタ３００が固定された状態となる。ただし、直接固定されているのは、カバー２０とコネクタ３００、コネクタ３００と回路基板３０であり、回路基板３０とカバー２０とは直接固定されていない。この状態で、図２に示すように、フード部６０のシール取付部６４にシール部材７０を設ける（塗布する）。そして、図１に示すように、カバー２０とケース１０、コネクタ３００のシール取付部６４とケース１０のシール部１２とを位置合わせして、回路基板固定部１１にゴム８０ａが配置されたケース１０をかぶせ、ケース１０とカバー２０とを図示しない固定部にてネジ止め固定する。
【００６５】
このようにして組み付けられた電子装置１００では、コネクタ３００は、回路基板３０に固定されると共に、筐体（カバー２０）との固定部である筐体固定部（コア側筐体固定部４３、フード側筐体固定部６３）と筐体（カバー２０）に設けられる筐体側コネクタ固定部２４とで筐体（カバー２０）に固定される。そして、回路基板３０は、コネクタ３００に加えて筐体（カバー２０）にも固定されるものであり、コネクタ３００との固定部である端子４２ｂとランドとの半田付け部（基板側コネクタ固定部）と、筐体（ケース１０、カバー２０）に設けられる回路基板固定部１１，２１との間に、端子４２ｂとランドとの半田付け部への応力を緩和するゴム８０ａ，８０ｂを配して筐体（カバー２０）に固定される。すなわち、回路基板３０は、一端側にコネクタ３００が固定され、他端側がゴム８０ａ，８０ｂを介して筐体（ケース１０、カバー２０）に固定される。
【００６６】
このように、コネクタ３００は筐体固定部を介して筐体に直接固定されるように構成する一方で、回路基板３０におけるコネクタ３００との固定部である端子４２ｂとランドとの半田付け部と、筐体（ケース１０、カバー２０）に設けられる回路基板固定部１１，２１との間に、端子４２ｂとランドとの半田付け部への応力を緩和するゴム８０ａ，８０ｂを配して、回路基板３０と筐体（ケース１０、カバー２０）とを固定することによって、たとえコネクタ３００と筐体との比較的強固な固定により、回路基板３０とコネクタ３００との固定部である端子４２ｂとランドとの半田付け部に応力が集中しようとするが、回路基板３０と筐体との固定の状態がコネクタ３００と筐体との固定に比して弱いため、端子４２ｂとランドによるコネクタ３００と回路基板３０との接続箇所に応力が集中しようとする場合には、ゴム８０ａ，８０ｂによる応力緩衝部材の変形によってその応力を吸収するようにしている。こうして回路基板３０とコネクタ３００との固定部である端子４２ｂとランドとの半田付け部に応力が集中するのを抑制することができる。
【００６７】
特に、本実施の形態に示すように、コネクタ３００が表面実装型の場合、回路基板３０との固定部（端子４２ｂとランドとの半田付け部）に応力が集中してしまうと、回路基板３０との接合信頼性が低下しやすい。したがって、表面実装型のコネクタ３００を回路基板３０に固定する場合、上述のようにゴム８０ａ，８０ｂを配することによって、表面実装型のコネクタ３００の回路基板３０に対する接合信頼性の低下を抑制することができる。
【００６８】
また、例えば図８に示すように、コア部４０は、複数のコア部４０１，４０２を組み合わせるようにしてもよい。図８は、本発明の実施の形態における変形例１の電子装置の回路基板とコア部との概略構成を示す平面図である。この場合、コア部４０１，４０２と回路基板３０との接合を強化するために、コア部４０１，４０２には、固定用のネジを挿入する貫通穴４０１ａ，４０２ａを設け、回路基板３０にネジが螺入されるネジ穴であるコネクタ保持部３１を設ける。そして、回路基板３０にコア部４０１，４０２を搭載し、コア部４０１，４０２の端子４２ｂと回路基板３０のランドとを半田付けすると共に、貫通穴４０１ａ，４０２ａにネジを挿入してコネクタ保持部３１にネジ止めすることによって、コア部４０１，４０２と回路基板３０とを固定する。
【００６９】
また、応力緩和機構は、回路基板３０におけるコネクタ３００との固定部である端子４２ｂとランドとの半田付け部と、筐体（ケース１０、カバー２０）に設けられる回路基板固定部１１，２１との間に設けられ、端子４２ｂとランドとの半田付け部への応力を緩和するものであればよい。したがって、例えば図９及び図１０に示すように、応力緩和機構は、回路基板３０におけるコネクタ３００との固定部である端子４２ｂとランドとの半田付け部と、筐体（ケース１０、カバー２０）に設けられる回路基板固定部１１，２１との間の回路基板３０に設けるスリット３３，３４，３５であってもよい。図９は、本発明の実施の形態における変形例２の電子装置の回路基板とコア部とカバーとの概略構成を示す平面図である。図１０は、本発明の実施の形態における変形例３の電子装置の回路基板とコア部とカバーとの概略構成を示す平面図である。
【００７０】
このように、応力緩和機構として回路基板３０に形成されるスリット３３，３４，３５を用いることによって、特別に部材（ゴム８０ａ，８０ｂなど）を用意する必要がなくなる。さらに、特別に応力緩和機構としての部材（ゴム８０ａ，８０ｂなど）を用意した場合に比べて、その部材（ゴム８０ａ，８０ｂなど）の経年変化などを考慮する必要が低減するため好適である。
【００７１】
また、応力緩和機構としてスリット３３，３４，３５を設ける場合、スリット３３，３５にように、カバー２０と回路基板３０との固定部位である基板保持部３２の付近に設けると好ましい。通常、回路基板３０に実装される電子部品や配線は、筐体（カバー２０）との固定部位（基板保持部３２）付近など回路基板の周囲には実装されないものである。したがって、スリット３３，３５のようにカバー２０と回路基板３０との固定部位である基板保持部３２の付近に設けることによって、回路基板３０に実装される電子部品や配線などに影響しない。また、万が一、スリット３３，３４，３５によって回路基板３０が破損したとしても、スリット３３，３５を基板保持部３２の付近に設けることによって、回路基板３０への悪影響を最小限に抑えることができる。なお、符号２５は、コネクタ３００とカバー２０とを固定（ネジ止め）する際に、回路基板３０が浮き上がるのを防止するための浮止部である。
【００７２】
また、例えば図１１に示すように、コア側筐体固定部４３は、コア部４０に対してコネクタ３００がメスコネクタ２００にて押圧さる方向に略平行な方向で取付けるようにしてもよい。図１１は、本発明の実施の形態における変形例４の電子装置の概略構成を示す図面であり、（ａ）はコア部の特徴部分の拡大図であり、（ｂ）はコア側筐体固定部の斜視図である。この場合、コアハウジング４１には、図１１（ａ）に示すように、コネクタ３００がメスコネクタ２００にて押圧さる方向に略平行な方向に固定用穴部４１１ａを設ける。一方、コア側筐体固定部４３には、図１１（ｂ）に示すように、固定用穴部４１１ａに対応するものであり、メスコネクタ２００にて押圧さる方向に略平行な方向に突出するコア側取付部４３１ｃを設ける。そして、コア側取付部４３１ｃを固定用穴部４１１ａに挿入して、コア側筐体固定部４３をコアハウジング４１に取り付ける。したがって、コア側筐体固定部４３は、コネクタ３００がメスコネクタ２００によって押圧されることによってコネクタ３００と筐体側コネクタ固定部２４とに押し付けられることとなる。このようにコア側筐体固定部４３とコア部４０とを取付けることによって、コネクタ３００にメスコネクタ２００を接続する際に、コネクタ３００と筐体側コネクタ固定部２４とがしっかりと固定され、コネクタ３００と筐体側コネクタ固定部２４との緩みを抑制することができる。
【００７３】
また、例えば図１２に示すように、コア部４０とフード部６０とに、位置決め機構を設けてもよい。図１２は、本発明の実施の形態における変形例５の電子装置の概略構成を示す平面図である。この場合、コア部４０には、コアハウジング４１の天井部にこの天井部に垂直な方向に突出するコア側位置決め用突起４４を設ける。一方、フード部６０には、フード部６０とコア部４０とを固定する際に、コア側位置決め用突起４４に当接するものであり、コア側位置決め用突起４４に対応した形状のフード側位置決め用凹部６５を設ける。このように、コア部４０及びフード部６０にコア側位置決め用突起４４及びフード側位置決め用凹部６５を設けることによって、コア部４０とフード部６０とを適切に位置決めすることができる。
【００７４】
また、例えば図１３に示すように、コネクタ３００と筐体（カバー２０）との固定位置、すなわちコア側筐体固定部４３、フード側筐体固定部６３と筐体側コネクタ固定部２４との設置位置は、適宜変更可能である。図１３は、本発明の実施の形態における変形例６の電子装置のコネクタと筐体との固定位置を示す断面図である。
【００７５】
コネクタ３００にメスコネクタ２００が接続される場合、コネクタ３００の端子４２ａに応力がかかりやすい。したがって、図１３（ａ）に示すように、コネクタ３００と筐体（カバー２０）との固定位置は、端子４２ａに対応する位置を含む、すなわち少なくとも１つの端子４２ａに対応する位置にすることによって、コネクタ３００がメスコネクタ２００によって押圧される押圧力を筐体（カバー２０）に逃がしやすくでき、回路基板３０とコネクタ３００との固定部（端子４２ｂとランドとの半田付け部）への応力を低減することができる。
【００７６】
また、図１３（ａ）に示すように、コネクタ３００と筐体（カバー２０）との固定位置は、コネクタ３００の高さ方向における中心付近ｘ１とすることによって、コネクタ３００がメスコネクタ２００によって押圧される際のモーメント応力を筐体（カバー２０）に逃がしやすくすることができる。
【００７７】
さらに、図１３（ｂ）に示すように、コネクタ３００と筐体（カバー２０）との固定位置は、カバー２０の底部に近い位置であってもよい。このように、コネクタ３００と筐体（カバー２０）との固定位置は、カバー２０の底部に近い位置とする場合、カバー２０の加工を簡易化することができる。
【００７８】
また、本実施の形態においては、貫通穴４３ａ，６３ａ、ネジ穴２４ａの開口がメスコネクタ２００の挿入される側に開口している。すなわち、図１、図２などに示すように、コア側筐体固定部４３、フード側筐体固定部６３、筐体側コネクタ固定部２４は、メスコネクタ２００が挿入される側からドライバーＤによってネジ止めするものである。しかしながら、図２、図１４に示すように、フード部６０の形状によっては、シール取付部６４などの出っ張りがネジ止めの邪魔になる可能性がある。図１４は、本発明の実施の形態における電子装置の課題を示す断面図である。
【００７９】
そこで、例えば図１５に示すように、貫通穴４３ａ，６３ａ、ネジ穴２４ａの開口がメスコネクタ２００が挿入される側とは反対側に開口するようにする。すなわち、図１５（ａ）に示すように、コア側筐体固定部４３、フード側筐体固定部６３、筐体側コネクタ固定部２４は、メスコネクタ２００が挿入される側とは反対側からドライバーＤによってネジ止めする。図１５は、本発明の実施の形態における変形例７の電子装置の特徴部分を示す図面であり、（ａ）は断面図であり、（ｂ）は分解図である。
【００８０】
この場合、図１５（ｂ）に示すように、筐体側コネクタ固定部２４は、メスコネクタ２００が挿入される側とは反対方向に下るように傾斜させ、その斜面に固定用切欠部２４ｂを設ける。一方、図１５（ａ）（ｂ）に示すように、コア側筐体固定部４３、フード側筐体固定部６３は、略Ｌ字形状とする。さらに、メスコネクタ２００が挿入される側とは反対方向に、ネジ止めするためのネジ穴、貫通穴の開口を設ける。
【００８１】
そして、コネクタ３００とカバー２０とを組み付ける場合、筐体側コネクタ固定部２４の固定用切欠部２４ｂにフード側筐体固定部６３の一部が引っ掛かった状態で筐体側コネクタ固定部２４とフード側筐体固定部６３とが当接すると共に、フード側筐体固定部６３とコア側筐体固定部４３とが当接する。そして、図１５（ａ）に示すように、メスコネクタ２００が挿入される側とは反対方向からドライバーＤによって、コア側筐体固定部４３、フード側筐体固定部６３、筐体側コネクタ固定部２４をネジ止め固定する。
【００８２】
このように、メスコネクタ２００が挿入される側とは反対方向に、ネジ止めするためのネジ穴、貫通穴の開口が向くようにコア側筐体固定部４３、フード側筐体固定部６３、筐体側コネクタ固定部２４を設けることによって、ネジ止めじにフード部６０などが邪魔にならなくて好ましい。
【００８３】
また、図１６に示すように、回路基板３０などに対して上方向からネジ止めすることによってもネジ止めじにフード部６０などが邪魔にならなくて好ましい。図１６は、本発明の実施の形態における変形例８の電子装置の特徴部分を示す図面であり、（ａ）は断面図であり、（ｂ）は分解図である。この場合、図１６（ａ）（ｂ）に示すように、筐体側コネクタ固定部２４は、コネクタ３００がメスコネクタ２００によって押圧される方向に略平行な筐体側底部２４２、及びコネクタ３００がメスコネクタ２００によって押圧される方向に略垂直な筐体側壁部２４１を階段状にもうける。一方、図１６（ａ）（ｂ）に示すように、コア側筐体固定部４３、フード側筐体固定部６３は、略Ｌ字形状とする。さらに、回路基板３０などに対して上方向に、ネジ止めするためのネジ穴、貫通穴の開口を設ける。
【００８４】
そして、コネクタ３００とカバー２０とを組み付ける場合、筐体側コネクタ固定部２４とＬ字形状が寝た状態のコア側筐体固定部４３とが当接すると共に、コア側筐体固定部４３とフード側筐体固定部６３とが当接する。そして、図１５（ａ）に示すように、回路基板３０などに対して上方向からドライバーＤによって、コア側筐体固定部４３、フード側筐体固定部６３、筐体側コネクタ固定部２４をネジ止め固定する。このようにしても、ネジ止め時にフード部６０などが邪魔にならなくて好ましい。
【００８５】
また、図１６（ｂ）に示すように、筐体側コネクタ固定部２４における表面及び筐体固定部（コア側筐体固定部４３、フード側筐体固定部６３）における表面のうち少なくとも一方は、ザラザラ面とするなどによって摩擦係数を高くすることによって、コネクタ３００からメスコネクタ２００を取り外す際に、コア側底部４３ｄとフード側底部６３ｄ、コネクタ側底部（コア側壁部）と筐体側底部２４２との摩擦力が向上し、より一層コネクタ３００と筐体（カバー２０）とがずれにくくすることができる。
【００８６】
また、例えば図１７に示すように、貫通穴４３ａ，６３ａ、ネジ穴２４ａの開口がメスコネクタ２００が挿入される側とは反対側に開口するようにする。すなわち、図１７（ａ）に示すように、コア側筐体固定部４３、フード側筐体固定部６３、筐体側コネクタ固定部２４は、メスコネクタ２００が挿入される側とは反対側からドライバーＤによってネジ止めする。図１７は、本発明の実施の形態における変形例９の電子装置の特徴部分を示す図面であり、（ａ）は断面図であり、（ｂ）は分解図である。
【００８７】
この場合、図１７（ｂ）に示すように、筐体側コネクタ固定部２４は、上側（ケース１０側）に突出する山状とし、メスコネクタ２００が挿入される側に筐体側壁部２４１を設ける。一方、図１７（ａ）（ｂ）に示すように、コア側筐体固定部４３、フード側筐体固定部６３は、略Ｌ字形状とする。さらに、メスコネクタ２００が挿入される側とは反対方向に、ネジ止めするためのネジ穴、貫通穴の開口を設ける。
【００８８】
そして、コネクタ３００とカバー２０とを組み付ける場合、筐体側コネクタ固定部２４とコア側筐体固定部４３とが当接すると共に、コア側筐体固定部４３とフード側筐体固定部６３とが当接する。そして、図１７（ａ）に示すように、メスコネクタ２００が挿入される側とは反対方向からドライバーＤによって、コア側筐体固定部４３、フード側筐体固定部６３、筐体側コネクタ固定部２４をネジ止め固定する。このようにしても、ネジ止めじにフード部６０などが邪魔にならなくて好ましい。また、筐体側コネクタ固定部２４は、上側（ケース１０側）に突出する山状とし、コネクタ３００がメスコネクタ２００によって押圧される方向に略垂直ではないもののメスコネクタ２００が挿入される側に筐体側壁部２４１を設けることによって、コネクタ３００と筐体（カバー２０）とを比較的しっかりと固定することができる。
【００８９】
なお、貫通穴及びネジ穴をコネクタ３００の外壁から所定間隔離間した位置に設けることによってもネジ締め作業を行いやすくすることができる。
【００９０】
また、例えば図１８に示すように、コネクタ３００と筐体（ケース１０、カバー２０）とは、コア側筐体固定部４５、フード側筐体固定部６６を筐体（ケース１０、カバー２０）で挟むことによって固定するようにしてもよい。図１８は、本発明の実施の形態における変形例１０の電子装置における概略構成を示す断面図である。この場合、ケース１０には、コア側筐体固定部４５、フード側筐体固定部６６に対応する位置、すなわちコネクタ３００の両端部にケース１０の表面からカバー２０側へ突出する筐体側コネクタ固定部１３を設ける。カバー２０には、コア側筐体固定部４５、フード側筐体固定部６６に対応する位置、すなわちコネクタ３００の両端部にカバー２０の表面からケース側に突出する筐体側コネクタ固定部２６を設ける。そして、コア部４０、フード部６０には、コア部４０、フード部６０の両端部にコネクタ３００の長手方向に突出するコア側筐体固定部４５、フード側筐体固定部６６を設ける。
【００９１】
そして、コネクタ３００と筐体（ケース１０、カバー２０）とを固定する場合、コア側筐体固定部４５、フード側筐体固定部６６を筐体側コネクタ固定部１３，２６で挟み込む。そして、ケース１０、カバー２０の外周部に設けられる固定部（図示省略）にて、ケース１０、カバー２０をネジ止めすることによって、コネクタ３００と筐体（ケース１０、カバー２０）とを固定する。また、筐体側コネクタ固定部１３，２６にてコア側筐体固定部４５、フード側筐体固定部６６を挟み込む位置は、コネクタ３００の高さ方向の中心付近とすると、コネクタ３００がメスコネクタ２００によって押圧される際のモーメント応力を筐体（カバー２０）に逃がしやすくすることができる。
【００９２】
また、コネクタ３００と筐体（ケース１０、カバー２０）とは、コア側筐体固定部４５、フード側筐体固定部６６を筐体（ケース１０、カバー２０）で挟むことによって固定する場合、図１９に示すようにしてもよい。図１９は、本発明の実施の形態における変形例１１の電子装置における概略構成を示す断面図であり、（ａ）はコネクタと筐体との固定部の拡大断面図であり、（ｂ）は筐体固定部の斜視図である。すなわち、筐体側コネクタ固定部１３，２６に、互いに対応する凹部１３ａ、突部２６ａを設ける。そして、コア側筐体固定部４５、フード側筐体固定部６６を、突部２６ａが挿入される穴ｈを備えたコア側筐体固定部４５ａ、フード側筐体固定部６６ａとする。このようにすることによって、コネクタ３００と筐体（ケース１０、カバー２０）とのズレを抑制することができる。
【００９３】
また、図２０に示すように、筐体側コネクタ固定部１３，２６に、凹部１３ｂ、２６ｂを設ける。そして、コア側筐体固定部４５、フード側筐体固定部６６を、突部ｒを備えたコア側筐体固定部４５ｂ、フード側筐体固定部６６ｂとする。このようにすることによっても、コネクタ３００と筐体（ケース１０、カバー２０）とのズレを抑制することができる。図２０は、本発明の実施の形態における変形例１２の電子装置における概略構成を示す断面図であり、（ａ）はコネクタと筐体との固定部の拡大断面図であり、（ｂ）は筐体固定部の斜視図である。
【００９４】
また、図２１に示すように、コア側筐体固定部４５、フード側筐体固定部６６の表面をザラザラ面とするなどによって摩擦係数を高くするようにしてもよい。図２１は、本発明の実施の形態における変形例１３の電子装置におけるコネクタと筐体との固定部の拡大断面図である。このようにすることによっても、コネクタ３００と筐体（ケース１０、カバー２０）とのズレを抑制することができる。
【００９５】
また、コネクタ３００と筐体（ケース１０、カバー２０）とは、コア側筐体固定部４６、フード側筐体固定部６７を筐体（ケース１０、カバー２０）で挟むことによって固定する場合、図２２、図２３に示すように、ケース１０、カバー２０、コア側筐体固定部４６、フード側筐体固定部６７を一括でネジ止めしてもよい。図２２は、本発明の実施の形態における変形例１４の電子装置における概略構成を示す図面であり、（ａ）は平面図であり、（ｂ）は（ａ）のＡＡ断面図である。図２３は、本発明の実施の形態における変形例１４の電子装置の概略構成を示す分解図であり、（ａ）はコネクタのフード部の平面図であり、（ｂ）はコネクタのコア部を回路基板に実装した場合の平面図であり、（ｃ）はカバー（下筐体）の平面図である。
【００９６】
この場合、コア部４０、フード部６０は、図２３（ａ）（ｂ）に示すように、ケース１０、カバー２０の四隅に設けられネジ穴２７ｈを有する耳部２７に対応するように、ネジが貫通する貫通穴を有するリング部４６ａ，６７ａを備えるコア側筐体固定部４６、フード側筐体固定部６７を設ける。すなわち、コア側筐体固定部４６、フード側筐体固定部６７は、リング部４６ａ，６７ａがケース１０、カバー２０の端部に形成された耳部２７に達するように形成する。さらに、電子装置１００を防水とする場合は、図２２（ｂ）に示すように、カバー２０に凹部２０ｈを設ける。そして、この凹部２０ｈにコア側筐体固定部４６、フード側筐体固定部６７の一部を配置して、シール部材７０を埋設する。なお、非防水の場合は、シール部材７０などは必要ない。
【００９７】
そして、図２２に示す状態のカバー２０、回路基板３０、コア部４０、フード部６０にケース１０を被せ、リング部４６ａ，６７ａの貫通穴、ネジ穴２７ｈにネジを螺入することによって、ケース１０、カバー２０、コア側筐体固定部４６、フード側筐体固定部６７を一括でネジ止めする。このようにすることによって、コネクタ３００は、筐体（ケース１０、カバー２０）により一層強固に固定することができる。
【００９８】
また、応力緩和機構は、回路基板３０におけるコネクタ３００との固定部である端子４２ｂとランドとの半田付け部と、筐体（ケース１０、カバー２０）に設けられる回路基板固定部１１，２１との間に設けられ、端子４２ｂとランドとの半田付け部への応力を緩和するものであればよい。したがって、例えば図２４に示すように、応力緩和機構は、回路基板３０と筐体（ケース１０、カバー２０）とが固定される回路基板固定部１４付近を第１エリアａ１〜第３エリアａ３に分割する領域分割部Ｓ１，Ｓ２としてもよい。図２４は、本発明の実施の形態における変形例１５の電子装置の概略構成を示す図面であり、（ａ）は平面図であり、（ｂ）はケースを取付けた場合の断面図である。
【００９９】
この場合、回路基板３０は、図２４（ａ）（ｂ）に示すように、領域分割部Ｓ１，Ｓ２にて回路基板固定部１４付近を第１エリアａ１〜第３エリアａ３に分割する。一方、ケース１０には、図２４（ｂ）に示すように、ケース１０の内部表面から回路基板３０方向へ突出し、第１エリアａ１、及び第３エリアａ３を押圧する回路基板固定部１４を設ける。カバー２０は、図２４（ｂ）に示すように、カバー２０の内部表面から回路基板３０方向へ突出し、第２エリアａ２を押圧する回路基板固定部２８を設ける。つまり、このようにすることによって、図２４（ａ）のＢＢ断面では（図２４（ｂ）では）、第１エリアａ１、及び第３エリアａ３では、回路基板３０の側面３０ａと表面３０ｂが見え、第２エリアａ２では、回路基板３０の側面３０ａと裏面３０ｃが見える状態となる。このようにすることによっても、回路基板３０とコネクタ３００との固定部である端子４２ｂとランドとの半田付け部に応力が集中するのを抑制することができる。
【０１００】
なお、回路基板固定部１４は、弾性部材からなる回路基板固定部１５としてもよい。また、回路基板３０とカバー２０との間には、位置ズレを考慮して隙間を設けると好ましい。また、本実施の形態においては、筐体固定部（コア側筐体固定部４３、フード側筐体固定部６３）は、コア部４０及びフード部６０と別体に設ける例を示したが、本発明はこれに限定されるものではない。
【図面の簡単な説明】
【０１０１】
【図１】本発明の実施の形態における電子装置の概略構成を示す部分的断面図である。
【図２】本発明の実施の形態における電子装置の概略構成を示す平面図である。
【図３】本発明の実施の形態における電子装置の概略構成を示す分解図であり、（ａ）はケース（上筐体）の断面図であり、（ｂ）はコネクタのフード部の側面図であり、（ｃ）はコネクタのコア部を回路基板に実装した場合の側面図であり、（ｄ）はカバー（下筐体）の断面図である。
【図４】本発明の実施の形態における電子装置の概略構成を示す分解図であり、（ａ）はコネクタのフード部の平面図であり、（ｂ）はコネクタのコア部を回路基板に実装した場合の平面図であり、（ｃ）はカバー（下筐体）の平面図である。
【図５】本発明の実施の形態におけるコネクタのコア部と回路基板との概略構成を示す図面であり、（ａ）はコネクタのコア部を回路基板に実装した場合の側面図であり、（ｂ）はコネクタのコア部を回路基板に実装した場合の正面図であり、（ｃ）はコア部の特徴部分の拡大図であり、（ｄ）はコア側筐体固定部の斜視図である。
【図６】本発明の実施の形態におけるコネクタのフード部の概略構成を示す図面であり、（ａ）はフード部の側面図であり、（ｂ）はフード部の平面図であり、（ｃ）はフード部の特徴部分の拡大図であり、（ｄ）はフード側筐体固定部の斜視図である。
【図７】本発明の実施の形態における電子装置のネジ止め時に生じる力の作用を説明する図面である。
【図８】本発明の実施の形態における変形例１の電子装置の回路基板とコア部との概略構成を示す平面図である。
【図９】本発明の実施の形態における変形例２の電子装置の回路基板とコア部とカバーとの概略構成を示す平面図である。
【図１０】本発明の実施の形態における変形例３の電子装置の回路基板とコア部とカバーとの概略構成を示す平面図である。
【図１１】本発明の実施の形態における変形例４の電子装置の概略構成を示す図面であり、（ａ）はコア部の特徴部分の拡大図であり、（ｂ）はコア側筐体固定部の斜視図である。
【図１２】本発明の実施の形態における変形例５の電子装置の概略構成を示す平面図である。
【図１３】本発明の実施の形態における変形例６の電子装置のコネクタと筐体との固定位置を示す断面図である。
【図１４】本発明の実施の形態における電子装置の課題を示す断面図である。
【図１５】本発明の実施の形態における変形例７の電子装置の特徴部分を示す図面であり、（ａ）は断面図であり、（ｂ）は分解図である。
【図１６】本発明の実施の形態における変形例８の電子装置の特徴部分を示す図面であり、（ａ）は断面図であり、（ｂ）は分解図である。
【図１７】本発明の実施の形態における変形例９の電子装置の特徴部分を示す図面であり、（ａ）は断面図であり、（ｂ）は分解図である。
【図１８】本発明の実施の形態における変形例１０の電子装置における概略構成を示す断面図である。
【図１９】本発明の実施の形態における変形例１１の電子装置における概略構成を示す断面図であり、（ａ）はコネクタと筐体との固定部の拡大断面図であり、（ｂ）は筐体固定部の斜視図である。
【図２０】本発明の実施の形態における変形例１２の電子装置における概略構成を示す断面図であり、（ａ）はコネクタと筐体との固定部の拡大断面図であり、（ｂ）は筐体固定部の斜視図である。
【図２１】本発明の実施の形態における変形例１３の電子装置におけるコネクタと筐体との固定部の拡大断面図である。
【図２２】本発明の実施の形態における変形例１４の電子装置における概略構成を示す図面であり、（ａ）は平面図であり、（ｂ）は（ａ）のＡＡ断面図である。
【図２３】本発明の実施の形態における変形例１４の電子装置の概略構成を示す分解図であり、（ａ）はコネクタのフード部の平面図であり、（ｂ）はコネクタのコア部を回路基板に実装した場合の平面図であり、（ｃ）はカバー（下筐体）の平面図である。
【図２４】本発明の実施の形態における変形例１５の電子装置の概略構成を示す図面であり、（ａ）は平面図であり、（ｂ）はケースを取付けた場合の断面図である。
【符号の説明】
【０１０２】
１０  ケース（上筐体）、１１，１４，１５  回路基板固定部、１２  シール部、１３  筐体側コネクタ固定部、１３ａ，１３ｂ  凹部、２０  カバー（下筐体）、２１，２８  回路基板固定部、２２  シール部、２３  放熱部、２４，２６  筐体側コネクタ固定部、２４ａ  ネジ穴、２４ｂ  固定用切欠部、２４１  筐体側壁部、２４２  筐体側底部、２５  浮止部、２６ａ  突部、２６ｂ  凹部、２７  耳部、２７ｈ  ネジ穴、３０  回路基板、３０ａ  側面、３０ｂ  表面、３０ｃ  裏面、３１  コネクタ保持部、３２  基板保持部、３３，３４，３５  スリット（応力緩和機構）、ａ１  第１エリア、ａ２  第２エリア、ａ３  第３エリア、Ｓ１，Ｓ２  領域分割部（応力緩和機構）、４０，４０１，４０２  コア部、４１  コアハウジング、４１ａ  コア側フック、４２ａ，４２ｂ  端子（電気接続部）、４３，４５，４５ａ，４５ｂ，４６  コア側筐体固定部、４３ａ  貫通穴、４３ｂ  コア側壁部、４３ｃ，４３１ｃ  コア側取付部、４３ｄ  コア側底部、４３２，４５ｃ  コア側高摩擦部、４４  コア側位置決め用突起、４０１ａ，４０２ａ  貫通穴、４１１ａ  固定用穴部、４６ａ  リング部、５０  電子部品、６０  フード部、６１  フードハウジング、６１ａ  フード側フック、６２  突部、６３，６６，６６ａ，６６ｂ，６７  フード側筐体固定部、６３ａ  貫通穴、６３ｂ  フード側壁部、６３ｃ  フード側取付部、６３ｄ  フード側底部、６３１，６６ｃ  フード側高摩擦部、６７ａ  リング部、６４  シール取付部、６５  フード側位置決め用凹部、７０  シール部材、８０ａ，８０ｂ  ゴム（応力緩和機構）、９０ａ，９０ｂ  ネジ、１００  電子装置、２００  メスコネクタ（外部コネクタ）、２０１  コネクタハウジング、２０２  挿入部、２０３  嵌合部、２０４  端子、コネクタ３００、Ｄ  ドライバー
【図１】
2007329413.tif 000003
【図２】
2007329413.tif 000004
【図３】
2007329413.tif 000005
【図４】
2007329413.tif 000006
【図５】
2007329413.tif 000007
【図６】
2007329413.tif 000008
【図７】
2007329413.tif 000009
【図８】
2007329413.tif 000010
【図９】
2007329413.tif 000011
【図１０】
2007329413.tif 000012
【図１１】
2007329413.tif 000013
【図１２】
2007329413.tif 000014
【図１３】
2007329413.tif 000015
【図１４】
2007329413.tif 000016
【図１５】
2007329413.tif 000017
【図１６】
2007329413.tif 000018
【図１７】
2007329413.tif 000019
【図１８】
2007329413.tif 000020
【図１９】
2007329413.tif 000021
【図２０】
2007329413.tif 000022
【図２１】
2007329413.tif 000023
【図２２】
2007329413.tif 000024
【図２３】
2007329413.tif 000025
【図２４】
2007329413.tif 000026